Podtech/llm-jp-corpus-v4-ja_patent huggingface dataset:
(57)【要約】【課題】本発明は、液体燃料に水素ガスの混合比率を自由に調整して、燃焼出来るようにし、水素ガスの混合比率を高め、液体燃料の燃焼効率を１００％に近付けクリーンな燃焼をすることが課題である。【解決手段】本発明は、請求項１に記載のとおり、液体燃料と水素ガスを混合して燃焼する予混合バーナーにあって、前記予混合燃料を燃焼する燃焼ノズルと液体燃料送給ポンプの間に燃焼ノズルに連接した水素ガスを供給する接続管を有する混合器を設け、ポンプのキャビテーションを発生することなく気液混合の比率を自由に調整して、燃焼出来るようにしたことを特徴とする予混合燃焼装置。【選択図】図１
2018173258.tif 000002
【特許請求の範囲】
【請求項１】
液体燃料と水素ガスを混合して燃焼する予混合バーナーにあって、前記予混合燃料を燃焼する燃焼ノズルと液体燃料送給ポンプの間に燃焼ノズルに連接した水素ガスを供給する接続管を有する混合器を設け、ポンプのキャビテーションを発生することなく気液混合の比率を自由に調整して、燃焼出来るようにしたことを特徴とする予混合燃焼装置。
【請求項２】
液体燃料と水素ガスを混合して燃焼する予混合バーナーにあって、予混合燃料を燃焼する燃焼ノズルに連接した水素ガスを供給する接続管を有した混合器の流路内に旋回流を起こす螺旋状のスリットを備えた混合器を設けることを特徴とする請求項１に記載の予混合燃焼装置。
【請求項３】
液体燃料と水素ガスを混合して燃焼する予混合バーナーにあって、水素ガスの供給圧力を液体燃料の供給圧力と同圧にするために水素ガスの供給ラインに加圧ポンプを設けることを特徴とする請求項１に記載の予混合燃焼装置。
【請求項４】
液体燃料と水素ガスを混合して燃焼する予混合バーナーにあって、水素ガスの供給ラインに逆止弁を設けることを特徴とする請求項１に記載の予混合燃焼装置
【発明の詳細な説明】
【技術分野】
【０００１】本発明は、液体燃料と水素ガスの混合燃焼方法における、予混合燃焼装置に関するものである。
【背景技術】
【０００２】近年、石油資源の枯渇化から、水素ガスを利用したクリーンエネルギー利用の研究開発が行われている。しかし、液体燃料に水素ガスを添加して燃焼装置で燃焼する場合、気液混合するにあたり、気液混合ミキサー、ポンプ等を使用する為に水素ガスの混合比率が５％〜８％と限度がある。【０００３】予混合燃焼装置について、特開２０１７−００２３４６号公報や特開２０１５−０４５０３２号公報のように水素、酸素混合燃焼装置が提案されている。【０００４】しかし、液体燃料に水素ガスを添加して混合燃焼した場合、液体燃料に占める水素ガスの混合割合が安定して混合出来るのは気液混合ミキサー等を使用する為に５％前後であるため、気液混合燃料としては未解決な部分があった。
【発明の概要】
【発明が解決しようとする課題】
【０００５】本発明は、液体燃料に水素ガスの混合比率を自由に調整して、燃焼出来るようにし、水素ガスの混合比率を高め、液体燃料の燃焼効率を１００％に近付けクリーンな燃焼をすることが課題である。【０００６】本発明は上記のような点に鑑みたもので、上記の課題を解決するために、請求項１のように、液体燃料と水素ガスを混合して燃焼する予混合バーナーにあって、前記予混合燃料を燃焼する燃焼ノズルと液体燃料送給ポンプの間に燃焼ノズルに連接した水素ガスを供給する接続管を有する混合器を設け、ポンプのキャビテーションを発生することなく気液混合の比率を自由に調整して、燃焼出来るようにしたことを特徴とする予混合燃焼装置を提供することにある。
【発明の効果】
【０００７】本発明は水素ガスを液体燃料に気液混合し、燃焼装置で燃焼する場合、気液混合するにあたり、気液混合ミキサー等を使用しない為に水素ガスの必要量を予混合燃焼装置に供給することができ、液体燃料のクリーンな燃焼ができる。
【発明を実施するための形態】
【０００８】予混合燃料を燃焼する燃焼ノズルと液体燃料送給ポンプの間に燃焼ノズルに連接した水素ガスを供給する接続管を有する混合器を設け、ポンプのキャビテーションを起さず供給できるようにしたことを特徴としている。
【実施例】
【０００９】図１は、本発明の実施例を示すもので、液体燃料は液体燃料タンク（３）より流量計（４）ポンプ（５）電磁バルブ（６）を通り混合器（２）に連接している。【００１０】又、水素ガスは水素ガス発生装置（７）より流量計（８）加圧ポンプ（９）電磁バルブ（１０）逆止弁（１１）を通り混合器（２）に連接している。混合器（２）で液体燃料と水素ガスを予混合し、バーナーノズル（１）より噴霧し点火プラグ（１３）により点火する。
【産業上の利用可能性】
【００１１】本発明は、液体燃料利用分野における、乾燥設備、農業用温室の加温、温水ボイラー、蒸気ボイラー等の燃焼用に広く利用できる。
【先行技術文献】
【特許文献】
【００１２】
【特許文献１】特開２０１７−００２３４６号公報
【特許文献２】特開２０１５−０４５０３２号公報
【図面の簡単な説明】
【００１３】
【図１】本発明のフローシート図
【図２】本発明のノズルの詳細図
【符号の説明】
【００１４】１．バーナーノズル
２．混合器
３．液体燃料タンク
４．流量計
５．ポンプ
６．電磁バルブ
７．水素ガス発生装置
８．流量計
９．加圧ポンプ
１０．電磁バルブ
１１．逆止弁
１２．スリット
１３．点火プラグ
【図１】
2018173258.tif 000003
【図２】
2018173258.tif 000004
(57)【要約】【課題】１個のダイナミック型スピーカを用いて高質な音（高音・中音・低音）を鼓膜に伝えるイヤホンを作製する。【解決手段】図１に描かれているように、バックキャビティＢ側から出力された音が図４のポリウレタンまたは発泡合成ゴム入りシリコンチューブｃの中を通り、フロントキャビティＡおよび音導管Ｃへと誘導してゆく。そしてイヤホンチップＤを取り付けて鼓膜へと伝える。【選択図】図１
2018107807.tif 000002
【特許請求の範囲】
【請求項１】
ポリウレタンまたは発泡合成ゴムを内蔵したシリコンチューブｃ図４は、バックキャビティＢ側で生成させた音（高音・中音・低音）を低音のみに精製する部品である。このポリウレタンまたは発泡合成ゴム入りシリコンチューブｃはフロントキャビティＡ側に設けた通気路ｂに設置して使用するものである。
【発明の詳細な説明】
【技術分野】
【０００１】本発明品は、１個のダイナミック型スピーカから高質な高音・中音・低音をいかにして出力させるかという問題を、ハウジングの改良と低音周波数の音のみを取り出す部品を考案したものである。
【背景技術】
【０００２】現在発売されているイヤホンの多くは、１個のダイナミック型スピーカでは高音・中音・低音と３種類の周波数を音の質というレベルで同時に出力することは不可能と結論づけている。【０００３】特に低音域は弱く迫力のない音が多い。【０００４】このため、各社は振動膜の材質、形状、金属のコーティング等の改良で低音域を出力している。【０００５】しかし、これらの方法で低音域を出力したスピーカは、必ず高音が籠った音になるのである。
【先行技術文献】
【特許文献】
【０００６】
【特許文献１】特開２０１１−１８２２０１
【特許文献１】特開２０１１−８２７０２
【特許文献１】特開２０１５−１０９５４２
【発明の概要】
【発明が解決しようとする課題】
【０００７】特開２０１１−１８２２０１のイヤホンは、現在各社から発売されている代表的なタイプの音作りである。バックキャビティのハウジングに外空間に通ずる穴をあけてスピーカの振動膜を大きく動かすことにより低音周波数を出力しているので高音が籠るのである。【０００８】特開２０１１−８２７０２も基本的にバックキャビティのハウジングに穴をあけている為に低音は出力されるが高音は籠もるのである。【０００９】特開２０１５−１０９５４２は一見本発明品と類似しているが、目的が（振動板の両面にかかる圧力に差が生じることを抑制可能なスピーカを提供する）としている。バックキャビティの音をフロントキャビティに送っているだけなので低音の出力は少量である。【００１０】本発明品は、以上の様な課題を解決する為になされたものである。１個のダイナミック型スピーカを使用して高質な高音・中音・低音をどのようにして出力させるかを目的としている。
【課題を解決するための手段】
【００１１】図１に描かれてある様に、スピーカａは特殊加工されていない振動膜（高音・中音・低音が均等に出力される膜）を用いる。スピーカａを納めるハウジングは組み立て時に出来る僅かな隙間以外に外空間に通ずる穴はあけない。スピーカａから出る電気コード用の穴の隙間も特殊ボンドで塞ぐ。この様にして振動膜を高音を強調する形態にする。フロントキャビティＡ側とバックキャビティＢ側も通気路ｂにあたる場所以外出来るだけ空気の移動を防ぐようにハウジングを作製する。【００１２】バックキャビティＢ側から発生した音は、請求項１のポリウレタンまたは発泡合成ゴム入りシリコンチューブｃを通ってフロントキャビティＡ側に音が伝わる。この請求項１の部品は高質な低音が出力される部品なのである。この形態により、フロントキャビティＡ側の空間の音は高音・中音が出力され、通気路ｂに取り付けたポリウレタンまたは発泡合成ゴム入りシリコンチューブｃの先端からは低音が出力される。それにより音導管Ｃには高質な高音・中音・低音が流出されるのである。
【発明の効果】
【００１３】スピーカａから出力される音はフロントキャビティＡとバックキャビティＢに分かれて鳴っている。このとき、バックキャビティＢ側の音を外に逃がさず通気路ｂに設置したポリウレタンまたは発泡合成ゴム入りシリコンチューブｃの中に通すことにより低音の出力が発生し、フロントキャビティＡ側からは高音・中音の音が籠らずに出力される。これにより、今まで籠もりがちであった高音・中音のボーカルや楽器の音が美しく低音とともに鼓膜へと伝わるのである。
【図面の簡単な説明】
【００１４】
【図１】本発明品の断面図である。
【図２】フロントキャビティＡの図面である。
【図３】バックキャビティＢの図面である。
【図４】ポリウレタンまたは発泡合成ゴム入りシリコンチューブｃの図面である。
【発明を実施するための形態】
【００１５】以下、本発明品の実施の形態について説明する。
フロントキャビティＡにダイナミック型スピーカａを取り付ける。音導管ＣにイヤホンチップＤを取り付ける。通気路ｂに沿ってポリウレタンまたは発泡合成ゴム入りシリコンチューブｃを取り付ける。このイヤホンのハウジングは、フロントキャビティＡとバックキャビティＢの２つの成型品を組み立てて１つのハウジングとして機能する。バックキャビティＢ側から出力された音は通気路ｂに取り付けたポリウレタンまたは発泡合成ゴム入りシリコンチューブｃの中を伝わり、フロントキャビティＡおよび音導管Ｃ、イヤホンチップＤをへて鼓膜へと伝わる。
【符号の説明】
【００１６】Ａ  フロントキャビティ
Ｂ  バックキャビティ
Ｃ  音導管
Ｄ  イヤホンチップ
ａ  スピーカ
ｂ  通気路
ｃ  ポリウレタンまたは発泡合成ゴム入りシリコンチューブ
【図１】
2018107807.tif 000003
【図２】
2018107807.tif 000004
【図３】
2018107807.tif 000005
【図４】
2018107807.tif 000006
(57)【要約】【課題】ストラップを取り付けできる穴を開けた貼って剥がせるスマートフォン専用背面カバーは、接着シートによりスマートフォン背面に貼って剥すことが可能である。背面カバー部分に折り目を付け、そこに磁石を内蔵し折り込むことで簡単にスタンド部分とハンドグリップ部分が突起する。未使用時は、この突起は簡単に元の形状に戻りスマートフォンとフラットな状態で固定されるスマートフォン専用背面カバーを提供する。【解決手段】カバーの折り込み部分に磁石を内蔵させ、折り目を折ると折った形状のまま磁石で固定され、スマートフォンを保持するスタンドとなったりスマートフォンを持ちやすくするハンドグリップとなる。カバーの折り目を伸ばすと、カバーは元の形状に戻りスマートフォンとフラットな状態で固定される貼って剥がせるスマートフォン専用背面カバー。【選択図】図１
2018107784.tif 000002
【特許請求の範囲】
【請求項１】
本発明は、折り込み部分に磁石を内蔵させ、ストラップを取り付けできる穴を開けた貼って剥がせるスマートフォン専用背面カバーに関する。このカバー裏面は、貼って剥がせる接着シートによりスマートフォン本体に固定できる。コーナーには、ストラップを取り付ける穴が開いている。カバーには５つの折り目が施してある。この折り目部分には、磁石が埋め込まれている。カバーの５つの折り目を折ると折った形状のまま磁石で固定される。固定された突起部分はスマートフォンを立てて保持するための、２つの角度で利用できるスタンドとなる。また、固定された突起部分は、２つの角度で利用できるハンドグリップとなり手で持つことによりスマートフォンを安定して使うことが可能となる。使用後は、カバーの５つの折り目を伸ばすと、カバーは元のフラット形状に戻り、そのままスマートフォンと一体化することを特徴とする、折り込むことでスタンド機能とハンドグリップ機能に変化する、貼って剥がせるスマートフォン専用背面カバー。
【発明の詳細な説明】
【技術分野】
【０００１】磁石内蔵部分を折り込むことで、スタンド機能とハンドグリップ機能に変化し、ストラップを取り付けできる穴を開けた貼って剥がせるスマートフォン専用背面カバーに関する。
【背景技術】
【０００２】従来、スマートフォン用のスタンド部品やハンドグリップ部品は、スマートフォンに固定すると、スマートフォン本体に対して凸状となり、バッグ類や着衣類のポケット内に収納する場合に、収納しにくかったり机上に置くと不安定であった。また、ストラップを取り付けできなかった。
【発明の概要】
【発明が解決しようとする課題】
【０００３】本発明の課題は、スマートフォン専用背面カバー部分に５つの折り目をつけ、その部分に磁石を内蔵して折り込むことで、使用時に簡単にスタンド部分とハンドグリップ部分が突起し、未使用時は簡単にフッラット形状に戻ることと、ストラップを取り付けできる穴を開けたスマートフォン専用背面カバーを提供することである。
【課題を解決するための手段】
【０００４】本発明は、折り込み部分に磁石を内蔵させた貼って剥がせるスマートフォン専用背面カバーに関する。カバーには５つの折り目が施してある。この折り目部分には磁石が埋め込まれている。カバーの５つの折り目を折ると、折った形状のまま磁石で固定される。固定された突起部分はスマートフォンを立てて保持するための、２つの角度で利用できるスタンドとなる。また、固定された突起部分は、２つの角度で利用できるハンドグリップとなり、これを手で持つことでスマートフォンを安定して使うことが可能となる。使用後は、カバーの５つの折り目を伸ばすと、カバーは元の形状に戻り、そのままスマートフォン本体にフラットな状態で固定される。また、このスマートフォン専用背面カバーは、スマートフォン本体に接着シートを利用して貼ったり剥がしたりすることが可能である。
【発明の効果】
【０００５】貼って剥がせるスマートフォン専用背面カバー部分に、５つの折り目をつけ、その部分に磁石を内蔵して折り込むことにより、使用時に簡単にスタンド部分とハンドグリップ部分が突起し、未使用時は５つの折り目を伸ばせば簡単に元の形状に戻る。このスマートフォン専用背面カバーは接着シートにより貼って剥がせることが可能である。また、コーナーにはストラップを取り付けできる穴を開けてある。
【図面の簡単な説明】
【０００６】
【図１】請求項１記載の貼って剥がせるスマートフォン専用背面カバーの俯瞰図である。
【図２】磁石内臓部分を折り込むことで、スタンド機能とハンドグリップ機能に変化し、ストラップを取り付けできる穴を開けた貼って剥がせるスマートフォン専用背面カバーをスマートフォン背面にセットした図である。
【図３】請求項１記載の貼って剥がせるスマートフォン専用背面カバーをスマートフォン背面にセットした俯瞰図である。
【図４】請求項１記載の貼って剥がせるスマートフォン専用背面カバーをスマートフォン背面にセットした側面図（ハンドグリップ機能）である。
【図５】請求項１記載の貼って剥がせるスマートフォン専用背面カバーをスマートフォン背面にセットした側面図（スタンド機能）である。
【発明を実施するための形態】
【０００７】本発明について図を用いて説明する。図２の１は、スマートフォン本体、２は、請求項１記載の貼って剥がせるスマートフォン専用背面カバーの折り込んだり伸ばしたりする部分である。
2018107784.tif 000003
たりする部分であり、折り込んだ際に突起部を形成する。３，４，５，６，７は、背面カバーに施された５つの折り目である。３，４，５，６，７の５つの折り目を折ると、突起部分がうまれこれがスマートフォンを保持するスタンドやハンドグリップとなる。折り目５を山折りすると図４の１３のような突起部となる。折り目５を山折りと谷折りすることにより、２種類の突起部を形成できる。この突起部分は、８，９に埋め込まれた磁石１４により固定される。更に、３，４，５，６，７の５つの折り目を伸ばすとスマートフォン専用背面カバー（図１、図３）のように元の形状に戻る。図１、図２、図３の１５は、ストラップ等を使用するための穴である。
【図１】
2018107784.tif 000004
【図２】
2018107784.tif 000005
【図３】
2018107784.tif 000006
【図４】
2018107784.tif 000007
【図５】
2018107784.tif 000008
(57)【要約】【課題】すでに枕木上に配置された長尺の重い荷物を直接平台車に載せて運搬する作業に際してはひとまず何らかの楊重機器を利用して荷物をいったん枕木から浮かせて平台車を差し込む作業が必須であり煩雑であった。【解決手段】符号１の平台車の下部に符号４のパンタグラフジャッキを直接取り付け、符号６の口金を回すことにより符号５のベーススタンドが床に対して伸びてはたらき符号１の荷台を荷物ごと押し上げることができる。このことにより、他の楊重機器に頼らずに枕木上に配置された重い荷物を運搬する作業が可能となる。【選択図】図１
2018103971.tif 000002
【特許請求の範囲】
【請求項１】
キャスターを備えた平台車の下部にピンによって取り付けられたパンタグラフジャッキを垂直に伸縮することで、平台車を上下させることが出来ることを特徴とするパンタグラフジャッキ付き平台車。
【請求項２】
請求項１に記載のパンタグラフジャッキ付き平台車を用いて、荷物を直接上下させることで他の揚重機器を用いることなく行う荷物の運搬作業方法。
【発明の詳細な説明】
【技術分野】
【０００１】本発明は、荷台の下部に直接ジャッキを取り付けた台車に関するものである。
【背景技術】
【０００２】一般に、枕木上に配置された長尺の重量物を平台車に直接載せて移動する作業に際しては、他の揚重機器を利用して一旦荷物を枕木から浮かせたのちに二台の平台車に載せて運搬し、目的の場所に到着したらまた上記の揚重機器を用いて荷物を浮かせたのちに平台車を抜き出して枕木上に配置される。
【発明の概要】
【発明が解決しようとする課題】
【０００３】このことから、平台車に直接荷物を載せて運搬作業を建物の階高を隔てて行わなければならない場合には、上記のように何らかの揚重機器が各階に配置されていなければならないことになる。楊重機器はかなりの重量があり、かつ費用もかかるため問題であった。
【課題を解決するための手段】
【０００４】本願では、上記のような揚重機器を多数配置しなければならないことによる多額の費用や  、上下の階に揚重機器を移動させる労力を省くために、平台車の下部にパンタグラフジャッキを直接取付け垂直に上下させることで、他の揚重機器に頼ることなく荷物を枕木から浮かせることができることを特徴とする。
【発明の効果】
【０００５】通常、平台車とは片手で一台を持ち運ぶことが可能であるが、これに直接パンタグラフジャッキを取り付けたところで重量はさして問題にならない。したがって、たとえ上下の階に移動して荷物の運搬作業をしなければならないような場合でも容易に持ち運びができる利点がある。
【図面の簡単な説明】
【０００６】
【図１】  ジャッキ付き台車を示した説明図である。（実施例１）
【図２】  ジャッキ付き台車を示した説明図である。（実施例２）
【発明を実施するための形態】
【０００７】本願は平台車の荷台の下部に直接パンタグラフジャッキを取り付けることで、荷台上の荷物を揚重することが可能な平台車を実現した。
【実施例１】
【０００８】図１はジャッキ付き台車を横から見たものである。通常、平台車には符号１の荷台に符号７のキャスターが４個備え付けられており、荷台は金属製か木製かによって構成されており、キャスターに関しては作業内容に適した大きさや強さを保持していればよい。【０００９】符号１の荷台の下部中央には、本願における特徴である符号４のパンタグラフジャッキを適正な位置に強く固定するため、符号２のパンタグラフジャッキを取り付けるアングル金物が固定されている。固定方法は溶接あるいはネジ止めでよい。【００１０】このアングル金物に符号３のパンタグラフジャッキを固定するピンを利用して、符号４のパンタグラフジャッキを固定する。【００１１】本願のジャッキ付き平台車の稼働時には符号６の口金を回すことで、符号５のベーススタンドが床に向けて下方向に強力に押し下げられ荷台上の荷物が持ち上げられるため、他の楊重機器に頼らずに容易に枕木から浮かせたり、あるいは枕木を差し込むことが可能となる。【００１２】床から符号１の荷台までの高さについては使用する枕木の高さに適合させることが望ましい。
【符号の説明】
【００１３】１  荷台
２  パンタグラフジャッキを取り付けるアングル金物
３  パンタグラフジャッキを固定するピン
４  パンタグラフジャッキ
５  ベーススタンド
６  口金
７  キャスター
【図１】
2018103971.tif 000003
【図２】
2018103971.tif 000004
(57)【要約】【課題】インターネットを切断できるようにする【解決手段】ある流れている情報量より多くの情報量を流す【選択図】図１
2018196101.tif 000002
【特許請求の範囲】
【請求項１】
日本国中。
【発明の詳細な説明】
【技術分野】
【０００１】この発明は、情報量を増やして、送り込みインターネットを切断する物である。
【背景技術】
【０００２】従来、インターネットは切断できないと考えられていた。
【発明の概要】
【発明が解決しようとする課題】
【０００３】これは次のような欠点があった。
従来、インターネットは切断できない。
【課題を解決するための手段】
【０００４】光ファイバーや電線にある大きな情報量を送り込むことによりインターネットを切断する
【発明の効果】
【０００５】インターネットが切断できず因っていた所を切断できるようになった。
【図面の簡単な説明】
【０００６】
【図１】本発明である）
【発明を実施するための形態】
【０００７】以下、本発明を実施するための形態について説明する）
光フィイバーや電線に流れている情報量より、多くの情報量を送り込む。
【符号の説明】
【０００８】１
【図１】
2018196101.tif 000003
(57)【要約】【課題】  昔、田舎のおばーちゃんは野菜をグツグツ煮ていました。  それを都会の人は「どうして田舎の人はせっかく新鮮な野菜があるのにあんなにグツグツと煮るのだろう」とあるテレビで言っていました。  そんな文句を言われても田舎のおばーちゃんはグツグツ煮るのを止めません。田舎のおばーちゃんは家族が健康なのが一番幸せです。  そして自分の息子が日本を救った坂本竜馬の様な存在になればもっと幸せです。それでファイトケミカルの存在など知らなくても平気でグツグツ野菜を煮ていたのです。きっと女性の本能がそれを知っていたのだと思います。  現代の日本では野菜をグツグツ煮る人はぎゃくに少なくなっている様です。【解決手段】  圧力鍋を使ってじゃがいも  人参  玉ねぎのスープを作り、そのスープにローズマリー  ローレル  キャベツ  牛バラ  牛ロース（かぶり切り落とし）を加えラーメンスープにする。【選択図】なし【特許請求の範囲】
【請求項１】
圧力鍋でじゃがいも  人参  玉ねぎ  の野菜スープを作りキャベツ  牛バラ等を加えて作るラーメンスープである。
【発明の詳細な説明】
【技術分野】
【０００１】  本発明は、じゃがいも  人参  玉ねぎ  キャベツの野菜スープで作るラーメンスープに関するものである。
【背景技術】
【０００２】  野菜は栄養価が高いのですがお湯で茹でると栄養の大半がお湯の中に流れだしてその湯がき汁を飲む人は少ないように思われます。
ほうれん草の湯がき汁のアクには毒になるような成分が含まれていますのでアク抜きの知識も十分に持たなければいけません。
じゃがいもは皮をむいたらすぐに水につけるといいのです。
人参  玉ねぎ  キャベツにアク抜きは必要ありません。
【発明の概要】
【発明が解決しようとする課題】
【０００４】  日本特有の味噌汁にすればお湯のなかに溶け込んだ栄養も十分取れるのですが現代の日本ではインスタントの味噌汁の普及もあり野菜の取り方が少なくなっています。
それに今はかっこよさの方が優先して野菜をグツグツと煮る人は少なくなっている様に思われます。
【課題を解決するための手段】
【０００５】  ラーメンは今では日本の国民食の感がありスープまでしっかり飲む食べ物になっています。
そこでじゃがいも  人参  玉ねぎ  キャベツのスープをラーメンスープにしました。【０００６】  じゃがいも  人参  玉ねぎを圧力鍋で煮てジューサーで硬い目の液状にします。
最初からあまり柔らかなジュースの様にしますとジューサーのスイッチをいれた時ふたに大きな力が掛かり、ふたが飛ばされそうになります。
ジューサーで液状にする時、湯がき汁は取って置き少し硬い目にして後で加えます。
この湯がき汁が貴重です。野菜の甘みと栄養素がいっぱい詰まっています。
ジューサーで硬い目の液状したものに湯がき汁を加えたこの野菜スープにローズマリー  ローレル  キャベツ  牛バラ  牛ロース（かぶり切り落とし）を加えラーメンスープに仕上げます。
【発明の効果】
【０００７】    麻布医院院長  ハーバード大学医学部元准教授  高橋  弘先生監修の
ハーバード大学式「野菜スープで」やせる！若返る！病気が治る！という本の中に書いてある野菜スープはこのラーメンスープの基本形（じゃがいも  人参  玉ねぎのスープ）とほとんど同じであり効果はかなり期待できます。
この本の２４ページから「細胞膜を壊さないと体に吸収できない」という項目で「このようにファイトケミカルは、私達が健康に生きるために欠かせない物質で野菜や果物を食べる事で摂取できます。
しかし、その多くは細胞や細胞膜の中に隠されており細胞を壊さなければ私たちの体内に吸収されないのです。ところが食物の細胞や細胞膜は、セルロース（繊維質）でできた細胞壁に囲まれているため包丁で刻んだりミキサーで粉砕した程度では壊れません。
細胞膜を壊す最も簡単な方法は加熱する事です。
野菜を加熱してスープにすると、細胞膜が壊れて野菜の細胞や細胞膜からファイトケミカルの大部分がゆで汁（スープ）の中に溶け出してきます。
一定時間煮続けると、その８〜９割がスープに溶け出します。
ファイトケミカルは安定的な物質で熱に強く、加熱しても効力は失われません。
したがってファイトケミカルは煮てスープにする事によって有効成分をムダなく摂取する事ができます。」とあります。
圧力釜で煮るのは圧力が掛かってから３分なのですが加熱をやめても圧力が掛かってふたを開く事が出来ない間はグツグツと煮ている状態ですので、より大きな効果が期待出来ます。
【発明を実施するための形態】
【０００８】  圧力釜を使いじゃがいも  人参  玉ねぎの野菜スープで作りそれにキャベツ  牛バラなどを加えて作るラーメンスープである。
(57)【要約】【課題】アケビの果実をとった後の不要物である果皮が有効に活用できれば、アケビの需要も伸び、新しい、果実としての活用も広がることが期待できる。また、場合によれば、アケビの果皮の薬効も期待できる。【解決手段】味噌およびアケビを含む食品、並びに、味噌、アケビおよび根ショウガを含む食品。これらの配合量は、味噌１００質量部に対し根ショウガの切断片０〜１００質量部、アケビの果皮の切断片５〜１００質量部が好ましい。【選択図】なし【特許請求の範囲】
【請求項１】
味噌およびアケビを含む食品。
【請求項２】
味噌、アケビおよび根ショウガを含む食品。
【請求項３】
味噌１００質量部に対し根ショウガの切断片０〜１００質量部、アケビの果皮の切断片５〜１００質量部を少なくとも配合してなるものである請求項１または２に記載の食品。
【請求項４】
さらに甘味料を５〜１００質量部配合したものである請求項１〜３のいずれかに記載の食品。
【請求項５】
配合した後、８０〜１５０℃に加熱処理してなるものである請求項１〜４のいずれかに記載の食品。
【発明の詳細な説明】
【技術分野】
【０００１】
本願発明は、風味が良くしかも薬効が期待できる特定の成分からなる薬膳味噌に関する。
【背景技術】
【０００２】
従来、野山に自生するアケビが細々と利用されていたが、近来、アケビを栽培することが可能となり、アケビの果実がでまわるようになっている。しかしながら、食用として利用される果実に対し、同時に多量に得られるアケビ果皮はそのままでは食品としては活用ができていない状況である。アケビの果皮は、その抽出物が高脂血症などの予防改善に期待できることなどが知られているが（特許文献１）、独特の苦味があるため十分に活用されているとは言えない。
【０００３】
一方、味噌に瓜、茄子などの野菜を切り刻んで混ぜて熟成させた金山寺味噌などは広く知られている。
【先行技術文献】
【特許文献】
【０００４】
【特許文献１】特開２０１０−２６５１８２号公報
【発明の概要】
【発明が解決しようとする課題】
【０００５】
アケビの果実をとった後の不要物である果皮が有効に活用できれば、アケビの需要も伸び、新しい、果実としての活用も広がることが期待できる。また、場合によれば、アケビの果皮の薬効も期待できる。
【課題を解決するための手段】
【０００６】
本発明者らは上記課題を解決するため鋭意検討し、味噌、アケビを組み合わせることで風味が良くしかもアケビの薬効も期待できる食品が得られることを見出し、本発明を完成した。
【０００７】
即ち、本発明は、味噌およびアケビを含む食品である。
【０００８】
本発明はまた、味噌、アケビおよび根ショウガを含む食品である。
【発明の効果】
【０００９】
本発明の薬膳味噌等の食品は風味が良く、補助食品として広く活用でき、しかも従来利用されなかったアケビの果皮等の部位も有効に活用でき極めて価値がある。
【発明を実施するための形態】
【００１０】
本発明において、味噌としては、大豆、米、麦などの穀類に塩と大豆麹などの麹を加えて発酵させた発酵食品であり、赤味噌、白味噌、合わせ味噌などが知られておりどのようなものでも利用できるが米味噌など比較的甘みのあるものが好ましく利用できる。
【００１１】
本発明において、アケビとしては、果肉、果皮、葉、茎などどの部位であっても利用可能であり、特に果皮が好ましく用いられる。アケビの果皮は、アケビの果実から果肉の部分を除いた残りを生もしくは予め冷凍したものを解凍して用いるのが好ましい。そのまま食することが可能なサイズにして用いればよいが、角切り、千切り、みじん切りして用いることもできる。使用量としては味噌１００質量部に対し５質量部〜１５０質量部であり、乾燥品を用いる場合には１〜５０質量部である。
【００１２】
本発明において生姜は根ショウガが好ましく用いられ、通常そのまま食することが可能な大きさにしたものを生のまま利用され、さらに、輪切り、千切り、みじん切りして用いるとより好ましい。使用量としては味噌１００質量部に対して０〜１５０質量部であり、全く用いなくても良いが、殺菌作用も期待できるので５質量部以上用いるのが好ましく、また乾燥粉末で用いることもでき、その場合は１質量部以上用いるのが好ましい。
【００１３】
本発明においは、さらに甘味料を用いることが可能であり、より好ましい。甘味料としては、蔗糖、水飴、葡萄糖、果糖、麦芽塘、乳糖、などの他に、天然物として得られるトレハロース、マルチトール、キシリトール、ソルビトール、羅漢果抽出物などの天然甘味料の他にアスパルテームなどの合成甘味料も利用できる。好ましい添加量としては味噌１００質量部に対し、１〜１００質量部である。
【００１４】
また、好みにより荏胡麻、ワサビ、ごま油、ラー油、唐辛子などを併用することも可能である。さらに、ふきのとう、タラの芽なども微量添加することもできる。
【００１５】
本発明においては、上記味噌等の各成分は混合して用いられる。混合方法としては特に制限はなく、手作業で、しゃもじ等で混合しても、ミキサーなど動力を用いて混合してもよい。特に、完成した薬膳味噌の風味、食感、保存安定性を良好にするため混合しながら加熱処理をするのが好ましく、５０℃以上の温度で数分以上、より好ましくは８０℃以上の温度で数分以上で風味が損なわれない程度に処理するのが好ましい。
【実施例】
【００１６】
以下に本発明の態様の一例を実施例として示す。
【００１７】
［実施例１］
アケビの果皮を冷凍したもの１００ｇと良く洗った皮付きの根ショウガ１００ｇをそれぞれ約２ｍｍ×５ｍｍ×１５ｍｍ、約２ｍｍ×２ｍｍ×１５ｍｍの千切りとしたものに、市販の米味噌２００ｇと砂糖１００ｇとを鍋に入れ、ヘラで良く混合しながら湯煎で加熱し８０℃で１０分間維持した。
【００１８】
得られた薬膳味噌はモニター２４名中１３名がおいしいと評価した。
【００１９】
［実施例２］
アケビの果皮を約２ｍｍの角切りに変えた以外は実施例１と同様の材料を用い、混合後に鍋で火にかけ弱火で１時間加熱した。水分が飛び味噌の粘度が上昇し、風味がさらに良くなった。
【００２０】
［実施例３］
アケビの果皮を約２ｍｍの角切りにし、根ショウガを加えることなく、砂糖を１３０ｇとする以外は実施例１と同様にした。子供が好んで食するものとなった。
(57)【要約】      （修正有）【課題】若者の中で薄れかけている京都の古き良き伝統に、少しでも関心を持ってもらえるように、スニーカーに鼻緒をつけた斬新なデザインのＨＡＮＡＯＳＨＯＥＳを提供する。【解決手段】スニーカーの先端部分の中心に穴１を開け、鼻緒２を差し込み接着剤で接着。スニーカーの両側面に切り込み３を入れ、鼻緒２の後方を差し込む。鼻緒２の後方は中敷の下で紐を接着剤で接着し、その後中敷を接着し固定するＨＡＮＡＯ−ＳＨＯＥＳを特徴とする。【選択図】図１
2018196711.tif 000002
【特許請求の範囲】
【請求項１】
スニーカーの先端部分の中心と、両側面に切り込みを入れて、それらに鼻緒を差し込み接着するＨＡＮＡＯ  ＳＨＯＥＳ。
【発明の詳細な説明】
【技術分野】
【０００１】  この発明は、下駄や草履にすげる鼻緒をスニーカーにつけたＨＡＮＡＯ  ＳＨＯＥＳに関するものである。
【背景技術】
【０００２】  従来、鼻緒は草履や下駄につけるものとされてきた。
【先行技術文献】
【特許文献】
【０００３】
【特許文献１】
【発明の概要】
【発明が解決しようとする課題】
【０００４】  これは次のような欠点があった。
京都の伝統や歴史に対する若者の関心が薄い。古くから築かれてきた素晴らしい技術や物があるにもかかわらず新しいものばかりに目がいってしまっている。
これは京都にいる身としてはとても勿体無いことだと考える。
この発明は、以上のような欠点をなくすためになされたものである。
【課題を解決するための手段】
【０００５】  スニーカーの先端部分の中心に鼻緒を差し込み接着剤で接着。
スニーカーの両側面に切り込みを入れ、鼻緒の後方を差し込み中敷の下で紐を接着剤で接着する。その後中敷を接着し抜けないように固定する。
この発明は以上の構成によりなるＨＡＮＡＯ  ＳＨＯＥＳである。
【発明の効果】
【０００６】  鼻緒とスニーカーという斬新で新しいものを生み出すことによって、形は従来のものと異なるが、身近に京都らしいものを持つことができる。そうすることで、京都を身近に感じられるようになり、京都の素晴らしい伝統に気づくきっかけになると考える。下駄や草履のように、着る服や場所を選ばないのも若者により親しんで履いてもらえる重要なポイントになる。また、和服に合わせて履いてもよく馴染み、坂道などでは下駄や草履よりも足への負担が軽い。
【図面の簡単な説明】
【０００７】
【図１】  本発明の斜視図である
【図２】  本発明の断面図である
【発明を実施するための形態】
【０００８】  以下本発明を実施するための形態について説明する。
スニーカーの先端部分の中心に、穴（１）を開ける。
両側面に鼻緒（２）を差し込むための切り込み（３）を入れる。
これらに鼻緒を差し込む。鼻緒の後方は中敷の下で紐を接着剤で接着する。
その後中敷を接着し固定する。
本発明は、以上のような構造である。
【符号の説明】
【０００９】    １  穴
２  鼻緒
３  切り込み
2018196711.tif 000003
【手続補正書】
【提出日】平成29年7月16日(2017.7.16)
【手続補正１】
【補正対象書類名】図面
【補正対象項目名】全図
【補正方法】変更
【補正の内容】
【図１】
2018196711.tif 000004
【図２】
2018196711.tif 000005
(57)【要約】【課題】  薬やサプリメントを飲んだか思い出せない時、すぐ確認出来るシール付カレンダーを提供する。【解決手段】  カレンダーの上部端に確認事項記入欄（１）を設け日付欄に日付を書く部分（２）とシールを貼ってある部分（３）に分けてシールの上部１ヶ所を折って（４）シールはがしのつまみにした確認シール付カレンダーである。薬を飲んだ時このシールをはがすだけで良いので簡単である。【選択図】図１
2018196982.tif 000002
【特許請求の範囲】
【請求項１】
カレンダー上部端に確認事項記入欄（１）を設け日付欄に日付を書く部分（２）とシールを貼ってある部分（３）に分けてシールの上部角１ヶ所を折って（４）シールはがしのつまみにした確認シール付カレンダー。
【発明の詳細な説明】
【技術分野】
【０００１】  この発明は、カレンダーの日付の下に確認のためのシールを貼った確認シール付カレンダーに関するものである。
【背景技術】
【０００２】  従来カレンダーは、日付を確認したり、日付の下にメモをするなどして使用していた。
【先行技術文献】
【特許文献】
【０００３】
【特許文献１】
【発明の概要】
【発明が解決しようとする課題】
【０００４】  カレンダーに必要な事はメモをしても、薬を飲むなど毎日同じ事の繰り返しの場合、薬を飲んだか思い出せない時、わかるようにメモをしておくと良いのだが面倒で出来なかった。
【課題を解決するための手段】
【０００５】  カレンダー上部端に確認事項記入欄（１）を設け日付欄に日付を書く部分（２）とシールを貼ってある部分（３）に分けてシールの上部角１ヶ所を折って（４）シールはがしのつまみにした確認シール付カレンダーである
【発明の効果】
【０００６】  薬やサプリメントを飲んだ時にシールをはがすだけなので、とても簡単で、あとで知りたい時すぐ確認出来便利である
【図面の簡単な説明】
【０００７】
【図１】  本発明の正面図である。
【発明を実施するための形態】
【０００８】  カレンダー上部端に確認事項記入欄（１）を設け日付欄に日付を書く部分（２）とシールを貼ってある部分（３）に分けてシールの上部角１ヶ所を折って（４）シールはがしのつまみにした確認シール付カレンダーである。
これを使用する時は、薬を飲んだ時シールをはがせば良い。
【符号の説明】
【０００９】  １．確認事項記入欄
２．日付
３．シール
４  シールのつまみ
【図１】
2018196982.tif 000003